(57)【要約】【課題】携帯端末の組み立てに際し、組立工数を削減することが可能であり、また、携帯端末の薄型化を図ることを課題とする。【解決手段】フロントケースに設けられた開口部に対向するようにレシーバが内蔵された携帯端末における開口部に装着されるケースパッドであって、弾性材で筒状に形成され、開口部に装着された際に、開口部に嵌合し、レシーバとの間に密閉された前気室を構成するようにレシーバをリアケース側に押圧してレシーバを支持する支持部を備える。また、支持部は、レシーバをリアケースに押圧するレシーバとの接触面を糸リブ形状とする。また、支持部は、開口部に嵌合する嵌合部分を、レシーバから発せられる音声信号を集音する集音椀形状とする。【選択図】        図１
2008167316.tif 000002
【特許請求の範囲】
【請求項１】
フロントケースに設けられた開口部に対向するようにレシーバが内蔵された携帯端末における前記開口部に装着されるケースパッドであって、
弾性材で筒状に形成され、前記開口部に装着された際に、当該開口部に嵌合し、前記レシーバとの間に密閉された前気室を構成するように当該レシーバをリアケース側に押圧して当該レシーバを支持する支持部を備えたことを特徴とするケースパッド。
【請求項２】
前記支持部は、前記レシーバを前記リアケースに押圧する当該レシーバとの接触面を糸リブ形状とすることを特徴とする請求項１に記載のケースパッド。
【請求項３】
前記支持部は、前記開口部に嵌合する当該嵌合部分を、前記レシーバから発せられる音声信号を集音する集音椀形状とすることを特徴とする請求項１または２に記載のケースパッド。
【請求項４】
前記支持部は、前記ケースパッドを前記フロントケースに固定するツメをさらに備えたことを特徴とする請求項１〜３のいずれか一つに記載のケースパッド。
【請求項５】
フロントケースに設けられた開口部に対向するようにレシーバが内蔵された携帯端末であって、
前記開口部に装着されるケースパッドの一部が、弾性材で筒状に形成され、前記開口部に装着された際に、当該開口部に嵌合し、前記レシーバとの間に密閉された前気室を構成するように当該レシーバをリアケース側に押圧して当該レシーバを支持することを特徴とする携帯端末。
【発明の詳細な説明】
【技術分野】
【０００１】
この発明は、ケースパッドおよび携帯端末に関する。
【背景技術】
【０００２】
従来より、携帯電話端末などに内蔵されるレシーバは、携帯電話端末のケース（フロントケースなど）に設けられたレシーバ用の開口部との間に密閉された前気室を構成するように支持されなければならない。このため、一般的には、ケースとレシーバとの間に備えられた弾力性のあるクッションなどが、レシーバを支持するなどしている。
【０００３】
ここで、図８は、従来技術（分解構造）を説明するための図である。図８に示すように、携帯電話端末においては、リアケースとフロントケースとの間に、液晶モジュールや基板などが装備される。また、図８に示すように、レシーバは、クッションと固定材との間に挟まれ、フロントケースに設けられた開口部に対向するように携帯電話端末に内蔵される。また、図８に示すように、フロントケースの外壁側には、メインパネルやケースパッドが装備される。このケースパッドには、窪みや開口部などが備えられ、ケースパッドの開口部がフロントケースに設けられた開口部に貫通している。なお、フロントケースとレシーバとの間に備えられたクッションは、通常、図８に示すように、レシーバと類似した形状をしているものである（図８においては、長円形）。
【０００４】
また、図９は、クッション貼付け前後について説明するための図であり、図９の（Ｂ）は、クッションの貼付け前と貼付け後とについて、フロントケースに設けられた開口部を内壁側（図９の（Ａ）の矢印の方向）から見た図を示したものである。なお、この時、フロントケースの開口部の形状とクッションの形状とに関連はない。
【０００５】
また、図１０は、従来技術を説明するための図であり、図１０の（Ａ）は、携帯電話端末を前面（携帯電話端末の利用者が耳を当てる面）から見た図を示したものであり、図１０の（Ｂ）は、図１０の（Ａ）に示したケースパッドの表面および裏面の形状を示すものであり、図１０の（Ｃ）は、図１０の（Ａ）の２つの矢印『ａ』によって示される縦線における携帯電話端末の断面図を示すものである。例えば、従来技術では、図１０の（Ｃ）に示すように、フロントケースとレシーバとの間に備えられたクッションが、フロントケースに設けられた開口部とレシーバとの間に密閉された前気室を構成するように、レシーバを支持している。この時、フロントケースの外壁側には、ゴム等の弾性の素材で形成されたケースパッドが、両面テープ等で装着されている。このケースパッドの表面および裏面は、一般的に、図１０の（Ｂ）に示すような形状となっている。すなわち、図１０の（Ｂ）に示すように、ケースパッドの表面には、窪みや開口部（ケースパッドの裏面に貫通し、フロントケースに設けられた開口部に貫通している）、その他、図示しないカメラ用の開口部などが備えられている。一方、ケースパッドの裏面には、窪みは存在しないが、同じく、開口部（ケースパッドの表面から貫通し、フロントケースに設けられた開口部に貫通している）や、図示しないカメラ用の開口部などが備えられている。
【０００６】
なお、上記のような構造が採用された受話器が、特許文献１に開示されている。
【０００７】
【特許文献１】特開２０００−１８４０３０号公報
【発明の開示】
【発明が解決しようとする課題】
【０００８】
ところで、上記した従来の技術では、以下に説明するように、携帯端末の組立工数が増加し、また、携帯端末の厚さが厚くなるという課題があった。すなわち、上記した従来の技術では、例えば、携帯端末である携帯電話端末の組み立てに際し、クッションやスポンジ等の部品を組み立てる分、組立工数が増加し、また、クッションやスポンジ等の部品を携帯電話端末の内部に装備する分、携帯電話端末の厚さが厚くなるという課題があった。なお、このような課題は、携帯電話端末に限らず、携帯情報端末、ゲーム機、受話器など、レシーバが内蔵された携帯端末であれば、同様に課題となる。
【０００９】
そこで、この発明は、上記した従来技術の課題を解決するためになされたものであり、携帯端末の組み立てに際し、組立工数を削減することが可能であり、また、携帯端末の薄型化を図ることが可能なケースパッドおよび携帯端末を提供することを目的とする。
【課題を解決するための手段】
【００１０】
上述した課題を解決し、目的を達成するため、請求項１に係る発明は、フロントケースに設けられた開口部に対向するようにレシーバが内蔵された携帯端末における前記開口部に装着されるケースパッドであって、弾性材で筒状に形成され、前記開口部に装着された際に、当該開口部に嵌合し、前記レシーバとの間に密閉された前気室を構成するように当該レシーバをリアケース側に押圧して当該レシーバを支持する支持部を備えたことを特徴とする。
【００１１】
また、請求項２に係る発明は、上記の発明において、前記支持部は、前記レシーバを前記リアケースに押圧する当該レシーバとの接触面を糸リブ形状とすることを特徴とする。
【００１２】
また、請求項３に係る発明は、上記の発明において、前記支持部は、前記開口部に嵌合する当該嵌合部分を、前記レシーバから発せられる音声信号を集音する集音椀形状とすることを特徴とする。
【００１３】
また、請求項４に係る発明は、上記の発明において、前記支持部は、前記ケースパッドを前記フロントケースに固定するツメをさらに備えたことを特徴とする。
【００１４】
また、請求項５に係る発明は、フロントケースに設けられた開口部に対向するようにレシーバが内蔵された携帯端末であって、前記開口部に装着されるケースパッドの一部が、弾性材で筒状に形成され、前記開口部に装着された際に、当該開口部に嵌合し、前記レシーバとの間に密閉された前気室を構成するように当該レシーバをリアケース側に押圧して当該レシーバを支持することを特徴とする。
【発明の効果】
【００１５】
請求項１または５の発明によれば、フロントケースに設けられた開口部に対向するようにレシーバが内蔵された携帯端末における開口部に装着されるケースパッドであって、弾性材で筒状に形成され、開口部に装着された際に、開口部に嵌合し、レシーバとの間に密閉された前気室を構成するようにレシーバをリアケース側に押圧してレシーバを支持するので、携帯端末の組み立てに際し、組立工数を削減することが可能になり、また、携帯端末の薄型化を図ることが可能になる。
【００１６】
また、請求項２の発明によれば、ケースパッドの支持部は、レシーバをリアケースに押圧するレシーバとの接触面を糸リブ形状とするので、上記した効果に加え、ケースパッドの支持部とレシーバとの接触面が潰れた時の反発力を、極力小さくすることが可能になる。
【００１７】
また、請求項３の発明によれば、ケースパッドの支持部は、開口部に嵌合する嵌合部分を、レシーバから発せられる音声信号を集音する集音椀形状とするので、上記した効果に加え、レシーバから発せられる音声信号を効果的に集音することも可能になる。
【００１８】
また、請求項４の発明によれば、ケースパッドの支持部は、ケースパッドをフロントケースに固定するツメをさらに備えるので、上記した効果に加え、携帯端末の組み立てに際し、両面テープ等（ケースパッドをフロントケースに装着するために用いられていた）の部品分の組立工数を削減することも可能になる。
【発明を実施するための最良の形態】
【００１９】
以下に添付図面を参照して、この発明に係るケースパッドおよび携帯端末の実施例を詳細に説明する。なお、以下では、まず、実施例で用いる主要な用語、次に、実施例１に係るケースパッドの概要および特徴、実施例１における携帯電話端末の構成を順に説明し、続いて、他の実施例について説明する。
【実施例１】
【００２０】
［用語の説明］
まず最初に、以下の実施例で用いる主要な用語を説明する。以下の実施例で用いる「レシーバ」とは、携帯電話端末（特許請求の範囲に記載の「携帯端末」に対応する）に内蔵され、電気信号を音声信号に変換することで、携帯電話端末の利用者に音声信号を伝達するものである。かかる「レシーバ」は、各メーカから様々な仕様で製品化されており、形状についても、長円形のもの、円形のもの、長方形のものなど、様々な種類がある。
【００２１】
上記したように、「レシーバ」は、利用者に音声信号を伝達することを目的とする部品であることから、「レシーバ」が携帯電話端末に内蔵される場合には、「レシーバ」は、レシーバ用の「開口部」と「レシーバ」との間に密閉された前気室を構成するように支持されなければならない。
【００２２】
ここで、「開口部」とは、「レシーバ」から発せられる音声信号を利用者に伝達することを目的として、携帯電話端末のケースに設けられた穴のことである。すなわち、「開口部」は、携帯電話端末において、「フロントケース」に設けられ、「レシーバ」は、この「開口部」との間に密閉された前気室を構成するように、「フロントケース」と「リアケース」との間に支持されることになる。また、携帯電話端末において、「フロントケース」の外壁側には、ゴムなどの弾性材で形成された「ケースパッド」が装着される。「ケースパッド」にも開口部が設けられ、この開口部が、「フロントケース」に設けられた「開口部」と貫通する。こうして、利用者は、「ケースパッド」に耳をあてることで、「レシーバ」から発せられる音声信号を受け取ることになる。なお、「ケースパッド」に設けられる開口部の形状は、通常、小さな円形等であり、「フロントケース」に設けられる「開口部」の形状との関連はない。
【００２３】
ところで、携帯電話端末は、周知のように、大量生産されるものであることから、携帯電話端末を構成する部品の数を削減し、携帯電話端末の組み立てに際し、組立工数をできるだけ削減することが望ましい。また、携帯電話端末は、周知のように、高いデザイン性が求められるものであることから、携帯電話端末の厚さを削減し、できるだけ薄型化を図ることが望ましい。このため、携帯電話端末に「レシーバ」を内蔵することを検討するにあたっては、どのように部品の数を削減して組立工数を削減するべきであるか、また、どのように厚さを削減して薄型化を図るべきであるかが、重要になる。
【００２４】
なお、実施例１においては、「携帯端末」として携帯電話端末の事例について説明するが、本発明はこれに限られるものではなく、携帯情報端末、ゲーム機、受話器など、「レシーバ」が内蔵された「携帯端末」であれば、本発明を同様に適用することができる。
【００２５】
［実施例１に係るケースパッドの概要および特徴］
次に、図１を用いて、実施例１に係るケースパッドの概要および特徴を説明する。図１は、実施例１に係るケースパッドの概要および特徴を説明するための図である。なお、図１の（Ａ）は、実施例１に係るケースパッドを備えた携帯電話端末を、前面（携帯電話端末の利用者が耳を当てる面）から見た図を示したものであり、図１の（Ｂ）は、ケースパッドの表面および裏面の形状を示すものであり、図１の（Ｃ）は、図１の（Ａ）の２つの矢印『ａ』によって示される縦線における携帯電話端末の断面図を示すものである。
【００２６】
実施例１に係るケースパッドは、上記したように、フロントケースに設けられた開口部に対向するようにレシーバが内蔵された携帯端末において開口部に装着されることを概要とし、携帯端末の組み立てに際し、組立工数を削減することができ、また、携帯端末の薄型化を図ることができるようにしている点に主たる特徴がある。
【００２７】
この主たる特徴について簡単に説明すると、実施例１に係るケースパッド１０は、図１の（Ｃ）に示すように、ゴムなどの弾性材で筒状に形成され、フロントケース３０に設けられた開口部に装着された際に、開口部に嵌合し、レシーバ２０との間に密閉された前気室を構成するようにレシーバ２０をリアケース４０側に押圧してレシーバ２０を支持する。
【００２８】
すなわち、図１の（Ｂ）に示すように、従来技術と同様に、ケースパッド１０の表面には、窪みや開口部などが備えられ、ケースパッド１０の裏面には、開口部などが備えられているが、従来技術と異なり、ケースパッド１０の裏面には、フロントケース３０に設けられた開口部にフロントケース３０の外壁側から嵌合する嵌合部分が、ケースパッド１０の一部としてゴムなどの弾性材で形成されていることがわかる。
【００２９】
かかるケースパッド１０の嵌合部分が、図１の（Ｃ）に示すように、フロントケース３０に設けられた開口部に、フロントケース３０の外壁側から嵌合し、フロントケース３０とリアケース４０との間に装備されるレシーバ２０を、ゴムなどの弾性材の弾性を利用して、リアケース４０側に押圧することになる。
【００３０】
このようにして、実施例１に係るケースパッドは、携帯端末の組み立てに際し、組立工数を削減することが可能であり、また、携帯端末の薄型化を図ることが可能になる。
【００３１】
なお、実施例１においては、ケースパッド１０がゴムなどの弾性材で形成されている場合について説明したが、本発明はこれに限られるものではなく、ケースパッド１０がゴム以外の弾性材で形成されている場合にも、本発明を同様に適用することができる。すなわち、実施例１に係るケースパッドは、ケースパッド１０の一部に「支持部」を備えるものであることから、結局、ケースパッド１０とケースパッド１０の一部に備えられる「支持部」とが同じ弾性材で形成されている場合であれば、具体的な弾性材の種類はいずれでもよい。
【００３２】
［実施例１に係る携帯電話端末の構成］
続いて、図１〜図３を用いて、実施例１における携帯電話端末の構成を説明する。図２は、ケースパッド組み立て前後について説明するための図であり、図３は、薄型化について説明するための図である。
【００３３】
実施例１における携帯電話端末は、特に本発明に密接に関連するものとしては、図１に示すように、ケースパッド１０と、レシーバ２０と、フロントケース３０と、リアケース４０とを備える。
【００３４】
フロントケース３０は、後述するリアケース４０と同様、携帯電話端末を構成するケースのひとつであり、利用者が耳を当てる側を構成するケースのことである。携帯電話端末においては、一般的に、フロントケース３０とリアケース４０との間に、レシーバ２０、その他、液晶モジュールや基板などが装備され、また、フロントケース３０の外壁側に、ケースパッド１０やメインパネルなどが装備される。
【００３５】
かかるフロントケース３０には、図１の（Ｃ）に示すように、開口部が設けられる。この開口部は、後述するレシーバ２０から発せられる音声信号を利用者に伝達することを目的として設けられた穴である。
【００３６】
リアケース４０は、フロントケース３０と同様、携帯電話端末を構成するケースのひとつであり、フロントケース３０と反対の側を構成するケースのことである。上記したように、携帯電話端末においては、一般的に、フロントケース３０とリアケース４０との間に、レシーバ２０、その他、液晶モジュールや基板などが装備される。
【００３７】
レシーバ２０は、電気信号を音声信号に変換して携帯電話端末の利用者に音声信号を伝達するものであって、フロントケース３０とリアケース４０との間に装備される部品のことである。具体的には、レシーバ２０は、フロントケース３０に設けられた開口部との間に密閉された前気室を構成するように、後述するケースパッド１０によって支持される。
【００３８】
ここで、レシーバ２０は、各メーカから様々な仕様で製品化されているが、実施例１におけるレシーバ２０の形状は、長円形のものであると仮定する。なお、実施例１においては、レシーバ２０の形状が長円形のものであると仮定するが、本発明はこれに限られるものではなく、レシーバ２０の形状が円形や長方形の場合であるなど、いずれでもよい。もっとも、レシーバ２０の形状に合わせて、フロントケース３０に設けられた開口部の形状や、後述するケースパッド１０の一部に備えられた嵌合部分の形状などが変化することになる。
【００３９】
ケースパッド１０は、ゴムなどの弾性材で形成されて、フロントケース３０の外壁側に両面テープ等で装着された部品のことである。具体的には、ケースパッド１０の表面および裏面は、図１の（Ｂ）に示すような形状となっている。すなわち、図１の（Ｂ）に示すように、従来技術と同様に、ケースパッド１０の表面には、窪みや開口部などが備えられ、ケースパッド１０の裏面には、開口部などが備えられているが、従来技術と異なり、ケースパッド１０の裏面には、フロントケース３０に設けられた開口部に、フロントケース３０の外壁側から嵌合する嵌合部分が、ケースパッド１０の一部として、ゴムなどの弾性材で筒状に形成されている。
【００４０】
かかるケースパッド１０の嵌合部分が、図１の（Ｃ）に示すように、フロントケース３０に設けられた開口部に、フロントケース３０の外壁側から嵌合し、フロントケース３０とリアケース４０との間に装備されるレシーバ２０を、ゴムなどの弾性材の弾性を利用して、リアケース４０側に押圧することになる。この結果、ケースパッド１０は、レシーバ２０との間に密閉された前気室を構成するようにレシーバ２０をリアケース４０側に押圧して、レシーバ２０を支持する。なお、本発明に係るケースパッド１０を携帯電話に実装する際には、レシーバ２０側に保護シート（メッシュ状の薄い膜など）を設けるなどして、レシーバ２０にゴミなどが侵入することを防ぐこともできる。
【００４１】
次に、ケースパッド１０の組み立て前後について説明すると、図２の（Ｂ）は、フロントケース３０に設けられた開口部を内壁側（図２の（Ａ）の矢印の方向）から見た図を示したものである。ケースパッド１０組み立て前の図からわかるように、本発明において、フロントケース３０の開口部は、ケースパッド１０の嵌合部分が嵌合することから、ケースパッド１０の形状と同じ形状をしていることがわかる。もっとも、フロントケース３０の開口部がケースパッド１０の形状と同じ形状になることが必要なのではなく、レシーバ２０の形状に合わせてフロントケース３０の開口部の形状が設計され、フロントケース３０の開口部の形状に合わせてケースパッド１０の形状が設計される、といった手順になるのが一般的であると考えられる。
【００４２】
こうして、ケースパッド１０の一部が、フロントケース３０の開口部に外壁側から嵌合するので、ケースパッド１０組み立て後の図からわかるように、図２の（Ａ）の矢印の方向から携帯電話端末を見た場合には、フロントケース３０の内壁側に突き出した嵌合部分のみを確認することができる。
【００４３】
ここで、従来技術と比較して、携帯電話端末の厚さがどのように変化するかについて検討する。図３の（Ａ）は、従来技術における携帯電話端末の厚さを説明するための図であり、図３の（Ｂ）は、実施例１における携帯電話端末の厚さを説明するための図である。図３の（Ａ）および図３の（Ｂ）に示すように、実施例１における携帯電話端末は、従来技術における携帯電話端末に比較して、クッションの幅分、厚さが削減されて薄型化が図られていることがわかる。すなわち、図３の（Ｂ）に示すように、実施例１における携帯電話端末は、クッションが削減されたことで、その分、レシーバをフロントケース側に詰めることができ、中間段階としては、レシーバとリアケースとの間に、図３の（Ｂ）の矢印で示す範囲の隙間が生じることになる。実施例１における携帯電話端末は、この隙間の分だけ厚さを削減して薄型化を図ることが可能になると考えられる。
【００４４】
［実施例１の効果］
上記してきたように、実施例１によれば、フロントケースに設けられた開口部に対向するようにレシーバが内蔵された携帯端末における開口部に装着されるケースパッドであって、弾性材で筒状に形成され、開口部に装着された際に、開口部に嵌合し、レシーバとの間に密閉された前気室を構成するようにレシーバをリアケース側に押圧してレシーバを支持するので、携帯端末の組み立てに際し、組立工数を削減することが可能になり、また、携帯端末の薄型化を図ることが可能になる。
【００４５】
すなわち、携帯端末の組み立てに際し、クッションやスポンジ等の部品を組み立てる分の組立工数を削減することが可能になり、また、クッションやスポンジ等の部品を携帯端末の内部に装備する分の厚さを削減する（携帯端末の薄型化を図る）ことが可能になる。なお、携帯端末の薄型化が図れる結果、携帯端末の商品性を向上させることも可能になる。
【実施例２】
【００４６】
ところで、これまで説明した実施例１に係るケースパッド１０は、図１の（Ｃ）に示すように、レシーバとの接触面が平坦な形状のものであったが、本発明はこれに限られるものではなく、レシーバとの接触面が糸リブ形状のものであるケースパッド１０にも、本発明を同様に適用することができる。そこで、以下では、実施例２として、レシーバとの接触面が糸リブ形状のものであるケースパッド１０について説明する。
【００４７】
［実施例２における携帯電話端末の構成］
以下に、図４を用いて、実施例２における携帯電話端末の構成を説明する。図４は、実施例２に係るケースパッドの概要および特徴を説明するための図である。なお、図４の（Ａ）および（Ｂ）は、ケースパッドの裏面の形状を示すものであり（（Ｂ）は（Ａ）の拡大図である）、図４の（Ｃ）は、携帯電話端末の断面図を示すものである。
【００４８】
実施例２における携帯電話端末は、特に本発明に密接に関連するものとしては、実施例１と同様、図４に示すように、ケースパッド１０と、レシーバ２０と、フロントケース３０と、リアケース４０とを備える。実施例２においては、ケースパッド１０の形状が実施例１と特に異なるので、ケースパッド１０についてのみ説明する。
【００４９】
実施例２におけるケースパッド１０は、実施例１と異なり、レシーバ２０をリアケース４０に押圧するレシーバ２０との接触面を、糸リブ形状とする。ここで、「糸リブ形状」とは、図４の（Ｃ）に示すように、接触面の一部が糸のように細く隆起している形状のことである。かかるケースパッド１０の裏面は、図４の（Ａ）および（Ｂ）に示すような形状になっている。すなわち、図４の（Ａ）および（Ｂ）に示すように、ケースパッド１０の裏面にゴムなどの弾性材で形成されている嵌合部分には、細い糸のような隆起（図４の（Ａ）および（Ｂ）では線のようにみえる）がある。
【００５０】
［実施例２の効果］
上記してきたように、実施例２によれば、ケースパッドの支持部は、レシーバをリアケースに押圧するレシーバとの接触面を糸リブ形状とするので、上記した効果に加え、ケースパッドの支持部とレシーバとの接触面が潰れた時の反発力を、極力小さくすることが可能になる。
【００５１】
具体的には、ケースパッドの支持部とレシーバとの接触面が潰れた時の反発力によって、フロントケースが開いてしまったり、フロントケースに接合していたケースパッドが浮き上がってしまう事態を回避することが可能になる。
【実施例３】
【００５２】
ところで、これまで実施例１や実施例２に係るケースパッドとして説明したケースパッド１０の嵌合部分は、レシーバ２０に対して垂直な形状のものであったが、本発明はこれに限られるものではなく、嵌合部分が、レシーバ２０に対して集音椀形状のものである場合にも、本発明を同様に適用することができる。そこで、以下では、実施例３として、嵌合部分が、レシーバ２０に対して集音椀形状のものである場合について説明する。
【００５３】
［実施例３における携帯電話端末の構成］
以下に、図５を用いて、実施例３における携帯電話端末の構成を説明する。図５は、実施例３に係るケースパッドの概要および特徴を説明するための図である。なお、図５の（Ａ）および（Ｂ）は、ケースパッドの裏面の形状を示すものであり（（Ｂ）は（Ａ）の拡大図である）、図５の（Ｃ）は、携帯電話端末の断面図を示すものである。
【００５４】
実施例３における携帯電話端末は、特に本発明に密接に関連するものとしては、実施例１と同様、図５に示すように、ケースパッド１０と、レシーバ２０と、フロントケース３０と、リアケース４０とを備える。実施例３においては、ケースパッド１０の形状が実施例１と特に異なるので、ケースパッド１０についてのみ説明する。
【００５５】
実施例３におけるケースパッド１０は、実施例１と異なり、フロントケース３０に設けられた開口部に嵌合する嵌合部分を、レシーバから発せられる音声信号を集音する集音椀形状とする。ここで、「集音椀形状」とは、図５の（Ｃ）に示すように、レシーバ２０に「椀」をかぶせたような形状のことである。かかるケースパッド１０の裏面は、図５の（Ａ）および（Ｂ）に示すような形状になっている。すなわち、図５の（Ａ）および（Ｂ）に示すように、ケースパッド１０の裏面にゴムなどの弾性材で形成されている嵌合部分は、内側の部分が、ケースパッドに接する部分から「椀」のように湾曲している。
【００５６】
なお、実施例３におけるケースパッド１０は、嵌合部分が集音椀形状となっているのみならず、レシーバ２０をリアケース４０側に押圧するレシーバ２０との接触面が、糸リブ形状となっているが、本発明はこれに限られるものではなく、接触面が糸リブ形状となっておらず、嵌合部分が集音椀形状となっているのみの場合にも、本発明を同様に適用することができる。
【００５７】
［実施例３の効果］
上記してきたように、実施例３によれば、ケースパッドの支持部は、開口部に嵌合する嵌合部分を、レシーバから発せられる音声信号を集音する集音椀形状とするので、上記した効果に加え、レシーバから発せられる音声信号を効果的に集音することも可能になる。
【実施例４】
【００５８】
ところで、これまで説明した実施例１〜実施例３に係るケースパッド１０は、フロントケース３０の外壁側に両面テープ等で装着（固定）するものであったが、本発明はこれに限られるものではなく、ケースパッド１０が、ケースパッド１０をフロントケース３０に固定する固定手段（ツメ）をさらに備え、ケースパッド１０が固定手段（ツメ）によってフロントケース３０の外壁側に装着する場合にも、本発明を同様に適用することができる。そこで、以下では、実施例４として、ケースパッド１０が固定手段（ツメ）をさらに備えた場合について説明する。
【００５９】
［実施例４における携帯電話端末の構成］
以下に、図６および図７を用いて、実施例４における携帯電話端末の構成を説明する。図６は、実施例４に係るケースパッドの概要および特徴を説明するための図である。なお、図６の（Ａ）および（Ｂ）は、ケースパッドの裏面の形状を示すものであり（（Ｂ）は（Ａ）の拡大図である）、図６の（Ｃ）は、携帯電話端末の断面図を示すものである。
【００６０】
実施例４における携帯電話端末は、特に本発明に密接に関連するものとしては、実施例１と同様、図６に示すように、ケースパッド１０と、レシーバ２０と、フロントケース３０と、リアケース４０とを備える。実施例４においては、ケースパッド１０が固定手段を備えた点が実施例１と特に異なるので、ケースパッド１０についてのみ説明する。
【００６１】
実施例４におけるケースパッド１０は、実施例１と異なり、ケースパッド１０をフロントケース３０に固定する固定手段をさらに備え、ケースパッド１０が、固定手段によってフロントケース３０の外壁側に装着するものである。ここで、固定手段とは、図６の（Ｃ）に示すような、ツメ５０のことである。かかるケースパッド１０の裏面は、図６の（Ａ）および（Ｂ）に示すような形状になっている。すなわち、図６の（Ａ）および（Ｂ）に示すように、ゴムなどの弾性材で形成されているケースパッド１０の裏面には、ツメ５０がさらに備えられている。
【００６２】
なお、実施例４におけるケースパッド１０は、ツメ５０を嵌合部分の上下に備えている事例であるが、本発明はこれに限られるものではなく、ケースパッド１０が、ツメ５０をその他の部分に備えている事例にも、本発明を同様に適用することができる。例えば、図７は、ツメの設置場所について説明するための図であり、図７の（Ａ）は、ケースパッド１０の嵌合部分がレシーバ２０に対して垂直な形状であるものを示しており、図７の（Ｂ）は、ケースパッド１０の嵌合部分がレシーバ２０に対して集音椀形状であるものを示している。図７に示すように、ケースパッド１０が、ツメ５０を備えていない場合、ツメ５０を１個備えている場合、ツメ５０を２個備えている場合、ツメ５０を３個備えている場合、ツメ５０を４個備えている場合等、いずれの組み合わせにも本発明を同様に適用することができ、また、図７に示さない配置や組み合わせなどにも、本発明を同様に適用することができる。
【００６３】
［実施例４の効果］
上記してきたように、実施例４によれば、ケースパッドの支持部は、ケースパッドをフロントケースに固定するツメをさらに備えるので、上記した効果に加え、携帯端末の組み立てに際し、両面テープ等（ケースパッドをフロントケースに装着するために用いられていた）の部品分の組立工数を削減することも可能になる。
【実施例５】
【００６４】
さて、これまで本発明の実施例について説明したが、本発明は上述した実施例以外にも、種々の異なる形態にて実施されてよいものである。
【００６５】
これまで実施例１〜実施例４において説明した携帯電話端末の形状は、例えば、図１に示すような形状のものであったが、本発明はこれに限られるものではなく、携帯電話端末の形状がどのようなものであっても、フロントケースとリアケースとの間にレシーバを内蔵し、フロントケースにケースパッドを装着する一般的な形状の携帯電話であれば、本発明を同様に適用することができる。さらに、本発明は携帯電話端末に限られるものではなく、携帯情報端末、ゲーム機、受話器など、内部にレシーバを装備し、ケースパッドと同様の部品を用いて構成される携帯端末であれば、本発明を同様に適用することができる。
【産業上の利用可能性】
【００６６】
以上のように、本発明に係るケースパッドおよび携帯端末は、フロントケースに設けられた開口部に対向するようにレシーバが内蔵された携帯端末において開口部に装着されることに有用であり、特に、携帯端末の組み立てに際し、組立工数を削減することが可能であり、また、携帯端末の薄型化を図ることに適する。
【図面の簡単な説明】
【００６７】
【図１】実施例１に係るケースパッドの概要および特徴を説明するための図である。
【図２】ケースパッド組み立て前後について説明するための図である。
【図３】薄型化について説明するための図である。
【図４】実施例２に係るケースパッドの概要および特徴を説明するための図である。
【図５】実施例３に係るケースパッドの概要および特徴を説明するための図である。
【図６】実施例４に係るケースパッドの概要および特徴を説明するための図である。
【図７】ツメの設置場所について説明するための図である。
【図８】従来技術（分解構造）を説明するための図である。
【図９】クッション貼付け前後について説明するための図である。
【図１０】従来技術を説明するための図である。
【符号の説明】
【００６８】
１０  ケースパッド
２０  レシーバ
３０  フロントケース
４０  リアケース
【図１】
2008167316.tif 000003
【図２】
2008167316.tif 000004
【図３】
2008167316.tif 000005
【図４】
2008167316.tif 000006
【図５】
2008167316.tif 000007
【図６】
2008167316.tif 000008
【図７】
2008167316.tif 000009
【図８】
2008167316.tif 000010
【図９】
2008167316.tif 000011
【図１０】
2008167316.tif 000012